(57)【特許請求の範囲】
【請求項１】
被検体内に挿入される挿入機器に取り付けられ、前記被検体を処置する処置具を前記被検体内に挿入させる処置具挿通具であって、
前記処置具を前記被検体内に案内する処置具案内部と、
術者の一方の手によって把持された前記挿入機器の挿入部が前記被検体内に挿入された際、前記挿入部の前記被検体外に位置する部位に着脱自在であるとともに、前記処置具案内部の一端側に設けられ前記処置具案内部内への前記処置具の挿通口となる案内部本体と、
前記処置具に取り付けられるとともに、前記案内部本体に対して着脱自在であり、装着後、前記術者の前記一方の手によって操作される処置具操作部と、
を具備し、
前記処置具操作部の外表面に第１の係合部が設けられ、
前記案内部本体に、前記第１の係合部が嵌入自在な第２の係合部が設けられている
ことを特徴とする処置具挿通具。
【請求項２】
前記案内部本体に対し、複数の前記処置具にそれぞれ取り付けられた前記処置具操作部が選択的に着脱自在であることを特徴とする請求項１に記載の処置具挿通具。
【請求項３】
前記処置具操作部は、前記処置具に対して着脱自在であるとともに、前記処置具に取り付けられた状態で前記案内部本体に着脱自在であることを特徴とする請求項１に記載の処置具挿通具。
【請求項４】
前記第１の係合部は、前記処置具操作部の前記外表面に設けられた突起であり、
前記第２の係合部は、前記案内部本体に設けられた、前記処置具案内部が前記処置具を案内する長手方向に沿って延出する第１のスリットと、前記第１のスリットに連続し前記長手方向に対して角度を有する第２のスリットとを具備していることを特徴する請求項１に記載の処置具挿通具。
【請求項５】
前記第２の係合部は、前記案内部本体に設けられたスリット及び該スリットに形成された複数の溝であり、
前記第１の係合部は、前記処置具操作部の前記外表面に設けられた前記スリットに嵌入自在であるとともにいずれか１つの前記溝に嵌入自在な突起であることを特徴とする請求項１に記載の処置具挿通具。
【請求項６】
前記第２の係合部は、前記案内部本体に設けられたスリットであり、
前記第１の係合部は、少なくとも一部が弾性変形することにより前記スリットに嵌入自在な前記処置具操作部の前記外表面に設けられた突起であることを特徴とする請求項１に記載の処置具挿通具。
【請求項７】
前記処置具案内部は、他端側が前記挿入機器の処置具挿通路に接続されるチューブであり、
前記チューブは、前記処置具を前記処置具挿通路を介して前記被検体内に案内することを特徴とする請求項１に記載の処置具挿通具。
【請求項８】
前記処置具案内部と前記案内部本体との境の内部には、前記処置具が通過する孔を有するとともに前記処置具案内部から前記案内部本体に液体が移動することを抑制する膜が設けられていることを特徴とする請求項１に記載の処置具挿通具。
【発明の詳細な説明】
【技術分野】
【０００１】
本発明は、被検体内に挿入される挿入機器に取り付けられ、被検体を処置する処置具を被検体内に挿入させる処置具挿通具に関する。
【背景技術】
【０００２】
近年、被検体内に挿入される挿入機器、例えば内視鏡は、医療分野において広く利用されている。
【０００３】
医療分野において用いられる内視鏡は、細長い挿入部を被検体となる体腔内に挿入することによって、体腔内の臓器を観察したり、必要に応じて内視鏡が具備する処置具挿通路に挿入した処置具を用いて体腔内の臓器の対象部位（以下、処置対象部位と称す）に対して各種処置をしたりすることができる。
【０００４】
尚、体腔内の観察を行う際は、術者は、内視鏡画像を観察しながら、例えば右手で内視鏡の挿入部を把持して挿入部の各種操作を行うとともに、左手で内視鏡の操作部の各種操作を行う手技が一般的である。
【０００５】
また、体腔内の処置対象部位の処置を行う際は、術者は、右手を一旦挿入部から離した後、右手で処置具を把持して、操作部に設けられた処置具挿通路の挿通口を介して処置具挿通路に処置具を挿入し、該処置具を挿入部の先端に形成された処置具挿通路の先端開口から被検体内に突出させて各種処置を行う手技が一般的である。
【０００６】
ここで、体腔内の処置対象部位に対して処置具を用いて各種処置を行う際、適切な処置を行うためには、術者は内視鏡画像を観察しながら処置対象部位に対して挿入部の先端位置及び処置具の先端位置を微調整する必要が生じる。
【０００７】
ところが、上述したように、術者は、右手で挿入部の各種操作と処置具の各種操作とを選択的に行うことから、処置対象部位に対する挿入部の先端位置及び処置具の先端位置の微調整を同時に行うことが難しいといった問題があった。
【０００８】
また、上述したように、術者は、右手で行う処置具の各種操作を挿入部から右手を離して行わなければならないため、処置対象部位に対する処置具の先端位置の微調整を行っていると、処置対象部位に対する挿入部の先端位置がずれてしまうといった問題もあった。
【０００９】
このような問題に鑑み、特許文献１には、操作部に設けられた処置具挿通路の挿通口に一端が着脱自在なチューブ状の処置具案内部と、該処置具案内部の他端に設けられるとともに挿入部の被検体外に位置する部位に着脱自在な案内部本体とを具備した、処置具を被検体内に挿入させる処置具挿通具が開示されている。
【００１０】
特許文献１に開示された処置具挿通具においては、案内部本体が挿入部の被検体外に位置する部位に装着され、処置具案内部の一端が処置具挿通路の挿通口に装着された状態において、処置具が案内部本体、処置具案内部を介して処置具挿通路に挿入され、挿入部先端の先端開口から被検体内に突出された状態において、術者は、右手で挿入部を把持したまま右手で案内部本体に固定されたスライダ等の処置具操作部を用いて処置具の位置調整を行うことができるため、右手のみで処置対象部位に対する挿入部の先端位置及び処置具の先端位置の微調整を同時に行うことができる。
【先行技術文献】
【特許文献】
【００１１】
【特許文献１】国際出願公開ＷＯ２０１３／０６５５０９号公報
【発明の概要】
【発明が解決しようとする課題】
【００１２】
ところで、特許文献１に開示された処置具挿通具を用いて処置対象部位に対して処置を行う際、処置具挿通路及び処置具挿通具に対して複数の処置具を選択的に挿抜したり、１つの処置具を複数回挿抜したりする場合がある。即ち、処置具の交換作業が生じる場合がある。
【００１３】
しかしながら、特許文献１に開示されている処置具挿通具においては、案内部本体に固定された処置具操作部が、処置具に対してラチェットやチャック等で固定される構成のため、複数の処置具を選択的に挿抜する場合や、１つの処置具を挿抜する際、処置具から処置具操作部を装脱する作業が別途必要となり、処置具の交換作業が煩雑であるといった問題があった。
【００１４】
本発明は、上記問題点に鑑みなされたものであり、処置具の交換作業を容易に行うことができる構成を具備する処置具挿通具を提供することを目的とする。
【課題を解決するための手段】
【００１５】
上記目的を達成するため本発明の一態様における処置具挿通具は、被検体内に挿入される挿入機器に取り付けられ、前記被検体を処置する処置具を前記被検体内に挿入させる処置具挿通具であって、前記処置具を前記被検体内に案内する処置具案内部と、術者の一方の手によって把持された前記挿入機器の挿入部が前記被検体内に挿入された際、前記挿入部の前記被検体外に位置する部位に着脱自在であるとともに、前記処置具案内部の一端側に設けられ前記処置具案内部内への前記処置具の挿通口となる案内部本体と、前記処置具に取り付けられるとともに、前記案内部本体に対して着脱自在であり、装着後、前記術者の前記一方の手によって操作される処置具操作部と、を具備し、前記処置具操作部の外表面に第１の係合部が設けられ、前記案内部本体に、前記第１の係合部が嵌入自在な第２の係合部が設けられていることを特徴とする。
【発明の効果】
【００１６】
本発明によれば、処置具の交換作業を容易に行うことができる構成を具備する処置具挿通具を提供することができる。
【図面の簡単な説明】
【００１７】
【図１】第１実施の形態の処置具挿通具を内視鏡とともに示す図
【図２】図１の処置具挿通具の一部の断面を、処置具操作部が取り付けられた処置具の一部とともに示す図
【図３】図２の処置具挿通部内において処置具案内部と案内部本体との間に膜が設けられた変形例を示す部分断面図
【図４】第２実施の形態の処置具挿通具の一部を、処置具操作部が取り付けられた処置具の一部とともに示す図
【図５】図４中の処置具挿通具の一部を、図４中のV方向からみた側面図
【図６】図４の突起の形状の変形例を処置具操作部とともに示す図
【図７】第３実施の形態の処置具挿通具の一部の断面を、処置具操作部が取り付けられた処置具の一部とともに示す図
【図８】第４実施の形態の処置具挿通具の一部を、処置具操作部が取り付けられた処置具の一部とともに示す図
【図９】図８の第２の係合部が、スリットと該スリットに形成された複数の凸部から構成された変形例を、処置具挿通具の一部及び処置具操作部が取り付けられた処置具の一部とともに示す図
【図１０】図８の第２の係合部が、スリットと該スリットに形成された１つの凸部から構成された変形例を、処置具挿通具の一部及び処置具操作部が取り付けられた処置具の一部とともに示す図
【図１１】図８のスリットの形状の変形例を、処置具挿通具の一部とともに示す図
【図１２】図１１のスリットに嵌入自在なスライダの突起の形状の変形例を示す図
【発明を実施するための形態】
【００１８】
以下、図面を参照して本発明の実施の形態を説明する。尚、以下に示す実施の形態において、挿入機器は、内視鏡を例に挙げて説明する。
【００１９】
（第１実施の形態）
図１は、本実施の形態の処置具挿通具を内視鏡とともに示す図、図２は、図１の処置具挿通具の一部の断面を、処置具操作部が取り付けられた処置具の一部とともに示す図、図３は、図２の処置具挿通部内において処置具案内部と案内部本体との間に膜が設けられた変形例を示す部分断面図である。
【００２０】
図１に示すように、挿入機器である内視鏡１は、被検体内に挿入される挿入部２と、該挿入部２の基端側に連設された操作部３と、該操作部３から延出されたユニバーサルコード８と、該ユニバーサルコード８の延出端に設けられたコネクタ９とを具備して主要部が構成されている。尚、コネクタ９を介して、内視鏡１は、制御装置や照明装置等の外部装置と電気的に接続される。
【００２１】
操作部３に、挿入部２の湾曲部２ｗを上下方向に湾曲させる上下用湾曲操作ノブ４と、湾曲部２ｗを左右方向に湾曲させる左右用湾曲操作ノブ６とが設けられている。
【００２２】
さらに、操作部３に、上下用湾曲操作ノブ４の回動位置を固定する固定レバー５と、左右用湾曲操作ノブ６の回動位置を固定する固定ノブ７とが設けられている。また、操作部３には、既知の各種操作スイッチ等が設けられている。
【００２３】
尚、操作部３に設けられた各種ノブ４、６、７、レバー５、各種スイッチ等は、例えば術者の左手によって操作される。
【００２４】
挿入部２は、先端側から順に、先端部２ｓと湾曲部２ｗと可撓管部２ｋとを具備して構成されており細長に形成されている。尚、挿入部２は、例えば術者の右手によって操作される。
【００２５】
尚、上述とは反対に、挿入部２の各種操作が術者の左手で行われ、操作部３の各種操作が術者の右手で行われても構わない。
【００２６】
湾曲部２ｗは、上下用湾曲操作ノブ４や左右用湾曲操作ノブ６の回動操作により、例えば上下左右の４方向に湾曲されることにより、先端部２ｓ内に設けられた図示しない撮像ユニットの観察方向を可変したり、被検体内における先端部２ｓの挿入性を向上させたりするものである。さらに、可撓管部２ｋは、湾曲部２ｗの基端側に連設されている。
【００２７】
また、挿入部２及び操作部３内には、処置具挿通路１０が設けられている。処置具挿通路１０は、一端が先端部２ｓの先端面に先端開口１０ａとして開口されており、他端が操作部３に挿通口１０ｂとして開口されている。
【００２８】
尚、その他の内視鏡１の構成は、一般的な内視鏡の構成と同じであるため、その詳しい説明は省略する。
【００２９】
処置具挿通具２０は、内視鏡１に取り付けられ、被検体内を処置する処置具３１〜３４のいずれかを、被検体内へと挿入させるものである。
【００３０】
尚、本実施の形態においては、処置具が４本の場合を例に挙げて示しているが、処置具は、１本でも４本以外の複数本であっても構わない。
【００３１】
処置具挿通具２０は、処置具案内部であるチューブ２１と、案内部本体２２と、処置具操作部であるスライダ４１〜４４のいずれかとを具備して主要部が構成されている。
【００３２】
チューブ２１は、処置具３１〜３４のいずれかを被検体内に案内するものであり、例えばテフロン（登録商標）等の樹脂から構成されている。
【００３３】
具体的には、チューブ２１は、他端が内視鏡１に設けられた処置具挿通路１０の挿通口１０ｂに接続自在であり、接続後、案内部本体２２内からチューブ２１内に挿入された処置具３１〜３４のいずれかを、処置具挿通路１０を介して先端開口１０ａから被検体内に突出させて被検体内に案内するものである。
【００３４】
案内部本体２２は、図１〜図３に示すように、チューブ２１の一端側に設けられているとともに、内部に処置具３１〜３４が通過するとともにスライダ４１〜４４のいずれかが装着されるチューブ２１の内部の空間２１ｉに連通する空間２２ｉを有し、該空間２２ｉの基端が空間２１ｉへの処置具３１〜３４のいずれかの挿通口２２ｐを構成している。
【００３５】
尚、図３に示すように、チューブ２１の空間２１ｉと案内部本体２２の空間２２ｉとの境に、処置具３１〜３４のいずれかが通過する孔５０ｈを有する膜５０が設けられていてもよい。
【００３６】
膜５０は、孔５０ｈに、処置具３１〜３４のいずれかが通過された状態において、被検体内が大気圧よりも圧力が高いことによって体外に向かって被検体内の液体を排出しようとすることに伴い、処置具挿通路１０を介して空間２１ｉから空間２２ｉへと液体が移動してしまうことを抑制する。
【００３７】
このことによれば、後述するように、処置具３１〜３４に設けられたスライダ４１〜４４のいずれかを操作して処置具３１〜３４の先端位置の微調整をしている最中や処置具を交換するときに、挿通口２０ｐを介して被検体内の液体が体外に漏れ出てしまうことを膜５０により防止することができる。
【００３８】
よって、孔５０ｈの径は、処置具３１〜３４のいずれかの外径よりも小径である必要がある。このことにより、膜５０は、処置具３１〜３４のいずれかの外周面に密着して液密を維持する。即ち、膜５０は、液密部材として機能する。
【００３９】
また、案内部本体２２は、図１に示すように、挿入部２が被検体内に挿入された際、挿入部２の可撓管部２ｋにおける被検体外に位置する、例えば１点鎖線で囲った部位２ｚに着脱自在となっている。尚、案内部本体２２は被検体外に位置する部位２ｚに装着された後は、部位２ｚから位置がずれてしまうことがないよう構成されている。
【００４０】
さらに、図２に示すように、案内部本体２２に対し、挿通口２２ｐ及び空間２２ｉに連通する第２の係合部であるスリット２２ｓが形成されている。尚、スリット２２ｓは、案内部本体２２に対し、チューブ２１が処置具３１〜３４のいずれかを案内する長手方向Ｎに沿って形成されている。
【００４１】
図１に示すように、スライダ４１〜４４は、それぞれ処置具３１〜３４に対して事前に取り付けられるものであり、案内部本体２２の空間２２ｉに対して着脱自在となっている。
【００４２】
尚、スライダ４１〜４４は、それぞれ処置具３１〜３４に対して着脱自在であっても構わない。また、以下、スライダ４１〜４４の構造は、スライダ４１を例に挙げて説明する。さらに、処置具３１〜３４は、処置具３１を例に挙げて説明する。よって、スライダ４１の構造は、スライダ４２〜４４の構造にも適用され、処置具３１の構造は、処置具３２〜３４にも適用される。
【００４３】
具体的には、図２に示すように、スライダ４１は、外表面４１ｇに第１の係合部である突起４１ｔが設けられており、突起４１ｔがスリット２２ｓに嵌入自在なことにより、処置具３１に事前に取り付けられた状態で案内部本体２２の空間２２ｉに着脱自在となっている。
【００４４】
尚、案内部本体２２にスライダ４１が装着された状態においては、処置具３１が、空間２１ｉ及び空間２２ｉに挿入され、スライダ４１が空間２２ｉに挿入され、スリット２２ｓに突起４１ｔが嵌入される。また、この状態においては、図１に示すように、処置具３１の先端３１ｓは、先端開口１０ａから被検体内に突出されている。
【００４５】
この状態において、術者は、内視鏡画像を観察しながら、例えば右手で挿入部２を把持した状態で、長手方向Ｎに沿って右手で突起４１ｔをスリット２２ｓ内において前後に移動させることにより、被検体内に突出された処置具３１の先端側の位置を微調整することができる。さらに、同時に、術者は、内視鏡画像を観察しながら、右手で挿入部２の先端部２ｓの先端の位置を微調整することができる。
【００４６】
尚、案内部本体２２に対しては、複数の処置具３１〜３４にそれぞれ取り付けられたスライダ４１〜４４が選択的に着脱自在となっている。
【００４７】
即ち、スリット２２ｓに対しては、スライダ４１〜４４にそれぞれ設けられた突起４１ｔ〜４４ｔが選択的に嵌入自在となっている。
【００４８】
尚、その他の処置具挿通具２０の構成は、従来と同じであるため、その説明は省略する。
【００４９】
このように、本実施の形態においては、スライダ４１〜４４は、それぞれ処置具３１〜３４に事前に取り付けられていると示した。
【００５０】
また、スライダ４１〜４４は、処置具３１〜３４のいずれかが空間２１ｉ及び空間２２ｉに対して挿抜されることに伴い、それぞれ案内部本体２２に対して着脱自在であり、突起４１ｔ〜４４ｔは、それぞれスリット２２ｓに対して嵌入自在であると示した。
【００５１】
さらに、挿入部２を右手で把持したまま、即ち、挿入部２の先端部２ｓの先端位置の微調整が可能な状態でまたは先端位置を固定したまま、突起４１ｔ〜４４ｔのいずれかをスリット２２ｓ内において長手方向Ｎに沿って右手で前後操作することにより、処置具３１〜３４のいずれかの先端位置を微調整することができると示した。
【００５２】
このことによれば、挿入部２を右手で把持したまま、処置具３１〜３４の先端位置の微調整を右手で行える構成を有する処置具挿通具２０において、空間２１ｉ及び空間２２ｉ、処置具挿通路１０に挿入されている処置具を交換する際、予めスライダ４１〜４４が処置具３１〜３４に固定されているとともに、スライダ４１〜４４は、案内部本体２２に対して着脱自在な構成を有していることから、従来のように、処置具の交換や挿抜の都度、スライダを処置具に対してラチェットやチャック等で固定したり取り外したりする必要がないため、処置具の交換作業を容易に行うことができる。
【００５３】
以上から、処置具の交換作業を容易に行うことができる構成を具備する処置具挿通具２０を提供することができる。
【００５４】
（第２実施の形態）
図４は、本実施の形態の処置具挿通具の一部を、処置具操作部が取り付けられた処置具の一部とともに示す図、図５は、図４中の処置具挿通具の一部を、図４中のV方向からみた側面図である。
【００５５】
この第２実施の形態の処置具挿通具の構成は、上述した図１〜図３に示した第１実施の形態の処置具挿通具と比して、案内部本体に形成されるスリットの形状が異なる。
【００５６】
よって、この相違点のみを説明し、第１実施の形態と同様の構成には同じ符号を付し、その説明は省略する。
【００５７】
図４、図５に示すように、本実施の形態においては、スリット２２ｓは、長手方向Ｎに沿って延出する第１のスリット２２ｓ１、２２ｓ３と、該第１のスリット２２ｓ１に連続し長手方向Ｎに対して角度を有する第２のスリット２２ｓ２とを具備して主要部が構成されている。
【００５８】
また、第２のスリット２２ｓ２の長手方向Ｎの幅Ｎ１は、突起４１ｔの長手方向Ｎの幅Ｎ２よりも大きく設定されている（Ｎ２＜Ｎ１）。
【００５９】
尚、その他の処置具挿通具２０の構成は、上述した第１実施の形態と同じである。また、本実施の形態においても、スライダ４１〜４４の構造は、スライダ４１を例に挙げて説明し、処置具３１〜３４の構造は、処置具３１を例に挙げて説明する。よって、スライダ４１の構造は、スライダ４２〜４４の構造にも適用され、処置具３１の構造は、処置具３２〜３４の構造にも適用される。
【００６０】
このような構成においては、スライダ４１の突起４１ｔをスリット２２ｓに嵌入する際、術者は、先ず、空間２２ｉにスライダ４１を挿入する際、案内部本体２２の長手方向Ｎの後方から第１のスリット２２ｓ３に突起４１ｔを嵌入させて長手方向Ｎの前方に進行させ、その後、スライダ４１を回転させて突起４１ｔを第２のスリット２２ｓ２内において進行させ、突起４１ｔを第１のスリット２２ｓ１に嵌入させる。
【００６１】
この状態において、第１のスリット２１ｓ１内において突起４１ｔを長手方向Ｎの前後に、第１のスリット２１ｓ１における先端２２ｓ１ａ、基端２２ｓ１ｂとの間において移動させることにより処置具３１の先端位置の微調整を行う。尚、スリット２２ｓから突起４１ｔを脱却する際は、術者は、上述と反対の操作を行う。
【００６２】
よって、上述した第１実施の形態においては、スリット２２ｓは、挿通口２２ｐに連通していたため、突起４１ｔの長手方向Ｎの後方への移動操作によりスリット２２ｓから突起４１ｔが抜けてしまう可能性があった。一方、本実施の形態においては、スリット２２ｓは、第２のスリット２２ｓ２を有していることから、長手方向Ｎに沿った第１のスリット２２ｓ１内における突起４１ｔの移動操作に伴い、意図せず第１のスリット２２ｓ１から突起４１ｔが抜けてしまうことを確実に防ぐことができる。
【００６３】
尚、その他の効果は、上述した第１実施の形態と同じである。
【００６４】
また、以下、変形例を、図６を用いて示す。図６は、図４の突起の形状の変形例を処置具操作部とともに示す図である。
【００６５】
上述した本実施の形態においては、スリット２２ｓの長手方向Ｎの幅Ｎ１は、突起４１ｔの長手方向Ｎの幅Ｎ２よりも大きく設定されていると示した。即ち、突起４１ｔの幅Ｎ２は、スリット２２ｓの幅Ｎ１よりも小さく設定されていると示した。
【００６６】
これに限らず、図６に示すように、突起４１ｔを、軸４１ｔｂと該軸４１ｔｂの上端に設けられた当接部４１ｔａとから構成し、軸４１ｔｂのみがスリット２２ｓを進行できるよう、長手方向Ｎの幅Ｎ３が、スリット２２ｓの幅Ｎ１よりも小さく設定されていても構わないことは勿論である（Ｎ３＜Ｎ１）。
【００６７】
（第３実施の形態）
図７は、本実施の形態の処置具挿通具の一部の断面を、処置具操作部が取り付けられた処置具の一部とともに示す図である。
【００６８】
この第３実施の形態の処置具挿通具の構成は、上述した図１〜図３に示した第１実施の形態の処置具挿通具、図４、図５に示した第２実施の形態の処置具挿通具と比して、案内部本体に形成されるスリットの形状と突起の少なくとも一部が弾性変形する点が異なる。
【００６９】
よって、この相違点のみを説明し、第１、第２実施の形態と同様の構成には同じ符号を付し、その説明は省略する。
【００７０】
図７に示すように、本実施の形態においては、スリット２２ｓは、先端２２ｓａと基端２２ｓｂとを有するよう、長手方向Ｎに沿って孔状に形成されている。
【００７１】
また、スライダ４１の突起４１ｔは、少なくとも一部が弾性変形することによりスリット２２ｓに嵌入自在に構成されている。
【００７２】
尚、その他の処置具挿通具２０の構成は、上述した第１、第２実施の形態と同じである。また、本実施の形態においても、スライダ４１〜４４の構造は、スライダ４１を例に挙げて説明し、処置具３１〜３４の構造は、処置具３１を例に挙げて説明する。よって、スライダ４１の構造は、スライダ４２〜４４の構造にも適用され、処置具３１の構造は、処置具３２〜３４にも適用される。
【００７３】
このような構成においては、スライダ４１の突起４１ｔをスリット２２ｓに嵌入する際、術者は、先ず、案内部本体２２の空間２２ｉに対し、案内部本体２２の長手方向Ｎの後方からスライダ４４を、挿通口２２ｐを介して挿入する。この際、突起４１ｔを弾性変形させて処置具３１方向に押し縮めた状態で、前方にスライダ４１を進行させ、その後、突起４１ｔをスリット２２ｓに嵌入させる。この際、突起４１ｔはスリット２２ｓにより押し縮められていた状態が解除され元の状態に戻る。
【００７４】
このスリット２２ｓに突起４１ｔが嵌入された状態において、スリット２２ｓ内において、スリット２２ｓにおける先端２２ｓａ、基端２２ｓｂとの間において突起４１ｔを長手方向Ｎの前後に移動させることにより処置具３１の先端位置の微調整を行う。尚、スリット２２ｓから突起４１ｔを脱却する際は、術者は、上述と反対の操作を行う。
【００７５】
このような構成においても、スリット２２ｓ内における突起４１ｔの移動操作に伴い、意図せずスリット２２ｓから突起４１ｔが抜けてしまうことを確実に防ぐことができる。
【００７６】
尚、その他の効果は、上述した第１、第２実施の形態と同じである。
【００７７】
（第４実施の形態）
図８は、本実施の形態の処置具挿通具の一部を、処置具操作部が取り付けられた処置具の一部とともに示す図である。
【００７８】
この第４実施の形態の処置具挿通具の構成は、上述した図１〜図３に示した第１実施の形態の処置具挿通具、図４、図５に示した第２実施の形態の処置具挿通具、図７に示した第３実施の形態の処置具挿通具と比して、案内部本体に形成されるスリットの形状と、スライダに設けられる突起の形状が異なる。
【００７９】
よって、この相違点のみを説明し、第１〜第３実施の形態と同様の構成には同じ符号を付し、その説明は省略する。
【００８０】
図８に示すように、本実施の形態においては、第２の係合部は、長手方向Ｎに沿って延出するスリット２２ｓと、該スリット２２ｓに長手方向Ｎに沿って形成された複数の溝２２ｍとから構成されている。
【００８１】
また、スライダ４１に設けられた突起４１ｔは、スリット２２ｓに嵌入自在であるとともに、いずれか１つの溝２２ｍに係脱自在な凸部４１ｔｄを有している。
【００８２】
尚、その他の処置具挿通具２０の構成は、上述した第１〜第３実施の形態と同じである。また、本実施の形態においても、スライダ４１〜４４の構造は、スライダ４１を例に挙げて説明し、処置具３１〜３４の構造は、処置具３１を例に挙げて説明する。よって、スライダ４１の構造は、スライダ４２〜４４の構造にも適用され、処置具３１の構造は、処置具３２〜３４の構造にも適用される。
【００８３】
このような構成によれば、突起４１ｔをスリット２２ｓに嵌入させた際、溝２２ｍのいずれか１つに凸部４１ｔｄを係止させることにより、処置具３１の先端の位置を、例えば予め定められたピッチで容易に調節することができる。即ち、処置具３１の進退量を定量的に制御することができる。
【００８４】
尚、その他の効果は、上述した第１〜第３実施の形態と同じである。
【００８５】
また、本実施の形態においては、複数の溝２２ｍのいずれかに対する凸部４１ｔｄの係脱により、処置具３１の先端の位置決めを行うと示したが、これに限らず、案内部本体２２の空間２２ｉに臨む内周面に長手方向Ｎに沿った複数の溝が設けられ、該溝のいずれかにスライダ４１の外表面４１ｇに設けられた凸部が係脱自在な構成においても、上述した本実施の形態と同様の効果を得ることができる。
【００８６】
さらに、溝と凸部との係脱に限らず、既知のラチェット機構を用いても、上述した本実施の形態と同様の効果を得ることができる。
【００８７】
また、上述した第２〜第４実施の形態の構成に限定されず、案内部本体２２にスライダ４１を着脱する構成は、図９〜図１２に示す構成等が考えられる。
【００８８】
尚、図９〜図１２に示す構成においても、スライダ４１〜４４の構造は、スライダ４１を例に挙げて説明し、処置具３１〜３４の構造は、処置具３１を例に挙げて説明する。よって、スライダ４１の構造は、スライダ４２〜４４の構造にも適用され、処置具３１の構造は、処置具３２〜３４の構造にも適用される。
【００８９】
図９は、図８の第２の係合部が、スリットと該スリットに形成された複数の凸部から構成された変形例を、処置具挿通具の一部及び処置具操作部が取り付けられた処置具の一部とともに示す図である。
【００９０】
図９に示すように、案内部本体２２に設けられる第２の係合部は、長手方向Ｎに沿って延出するスリット２２ｓと、該スリット２２ｓに長手方向Ｎに沿って形成された複数の凸部２２ｔとから構成されていても構わない。
【００９１】
このような構成によれば、スリット２２ｓに突起４１ｔが嵌入された際、スライダ４１の突起４１ｔに設けられた凸部４１ｔｄが、いずれか１つの凸部２２ｔを乗り越える度に、処置具３１の先端の位置決めを容易に行うことができる。即ち、処置具３１の進退量を定量的に制御することができる。
【００９２】
図１０は、図８の第２の係合部が、スリットと該スリットに形成された１つの凸部から構成された変形例を、処置具挿通具の一部及び処置具操作部が取り付けられた処置具の一部とともに示す図である。
【００９３】
図１０に示すように、案内部本体２２に設けられる第２の係合部は、長手方向Ｎに沿って延出するスリット２２ｓと、該スリット２２ｓに形成された１つの凸部２２ｄとから構成されていても構わない。また、図１０においては、スライダ４１自体に凸部４１ｄが設けられている。
【００９４】
このような構成によれば、スリット２２ｓに突起４１ｔが嵌入された際、凸部４１ｄが凸部２２ｄを乗り越えると、案内部本体２２に対するスライダ４４の装着、固定構成を容易に実現することができる。
【００９５】
図１１は、図８のスリットの形状の変形例を、処置具挿通具の一部とともに示す図、図１２は、図１１のスリットに嵌入自在なスライダの突起の形状の変形例を示す図である。
【００９６】
図１１に示すように、案内部本体２２に形成されるスリット２２ｓは、大径のスリット２２ｓｆと、該スリット２２ｓｆの基端に連続するとともに、案内部本体２２の基端まで形成された小径のスリット２２ｓｇとから構成されていても構わない。
【００９７】
また、図１２に示すように、スリット２２ｓに嵌入自在な突起４１ｔは、小径の軸４１ｔｄと、該小径の軸４１ｔｄの上端に連続する大径の軸４１ｔｅとから伸縮自在に構成されていても構わない。
【００９８】
このような構成によれば、案内部本体２２に対してスライダ４１を装着する際は、案内部本体２２に後方から、小径のスリット２２ｓｇに対して、突起４１ｔを持ち上げて小径の軸４１ｔｄを通過させ、小径の軸４１ｔｄが大径のスリット２２ｓｆに嵌入した後、突起４１ｔを押し下げれば、大径のスリット２２ｓａの先端２２ｓｆ１、基端２２ｓｆ２との間において、大径の軸４１ｔｅ及び小径の軸４１ｔｄが前後に移動自在となる。
【００９９】
このような構成によっても、長手方向Ｎに沿った大径のスリット２２ｓｆ内における大径の軸４１ｔｅ及び小径の軸４１ｔｄの移動操作に伴い、意図せずスリット２２ｓから突起４１ｔが抜けてしまうことを確実に防ぐことができる。
【０１００】
尚、上述した第１〜第４実施の形態においては、挿入機器は、内視鏡１を例に挙げて示したが、これに限らず、内視鏡以外の処置具挿通路を具備する挿入機器にも適用可能であることは云うまでもない。
【０１０１】
また、上述した第１〜第４実施の形態においては、チューブ２１の他端は、挿通口１０ｂに接続されていると示したが、これに限らず、チューブ２１が挿入部２の外周に固定されることにより、処置具３１〜３４のいずれかを直接被検体内にチューブ２１が案内する構成であっても良いことは勿論である。
【符号の説明】
【０１０２】
１…内視鏡（挿入機器）
２…挿入部
２ｚ…挿入部の被検体外に位置する部位
１０…処置具挿通路
２０…処置具挿通具
２１…チューブ（処置具案内部）
２２…案内部本体
２２ｍ…溝（第２の係合部）
２２ｐ…案内部本体の挿通口
２２ｓ…スリット（第２の係合部）
２２ｓ１…第１のスリット
２２ｓ２…第２のスリット
２２ｓ３…第１のスリット
３１〜３４…処置具
４１〜４４…スライダ（処置具操作部）
４１ｇ…処置具操作部の外表面
４１ｔ〜４４ｔ…突起（第１の係合部）
４１ｔｄ…突起
５０…膜
５０ｈ…孔
Ｎ…長手方向
【図１】
0006747800.tif 000002
【図２】
0006747800.tif 000003
【図３】
0006747800.tif 000004
【図４】
0006747800.tif 000005
【図５】
0006747800.tif 000006
【図６】
0006747800.tif 000007
【図７】
0006747800.tif 000008
【図８】
0006747800.tif 000009
【図９】
0006747800.tif 000010
【図１０】
0006747800.tif 000011
【図１１】
0006747800.tif 000012
【図１２】
0006747800.tif 000013